(57)【要約】【課題】光効率及び色再現性が向上された表示装置を提供する。【解決手段】本発明に係る表示装置は、第１ピーク波長の第１光を提供する第１光源及び前記第１ピーク波長より短波長である第２ピーク波長の第２光を提供する第２光源を含む光源ユニット、前記第２光を吸収し、前記第２光を前記第１ピーク波長及び前記第２ピーク波長と異なるピーク波長を有する第１カラー光及び第２カラー光に変換する波長変換部材、並びに、前記第１カラー光を表示する第１画素領域、前記第２カラー光を表示する第２画素領域、及び前記第１光を表示する第３画素領域を含む表示パネルを含み、前記第１ピーク波長及び前記第２ピーク波長は３６５ｎｍ以上５００ｎｍ以下の値を有する。【選択図】図１
2019191572.tif 000002
【特許請求の範囲】
【請求項１】
第１ピーク波長の第１光を提供する第１光源及び前記第１ピーク波長より短波長である第２ピーク波長の第２光を提供する第２光源を含む光源ユニットと、
前記第２光を吸収し、前記第２光を、前記第１ピーク波長及び前記第２ピーク波長と異なるピーク波長を有する第１カラー光及び第２カラー光に変換する波長変換部材と、
前記第１カラー光を表示する第１画素領域、前記第２カラー光を表示する第２画素領域、及び前記第１光を表示する第３画素領域を含む表示パネルと、を含み、
前記第１ピーク波長及び前記第２ピーク波長は、３６５ｎｍ以上５００ｎｍ以下の値を有する、ことを特徴とする表示装置。
【請求項２】
前記第１光及び前記第２光は、青色光である、ことを特徴とする請求項１に記載の表示装置。
【請求項３】
前記第１ピーク波長は、４５０ｎｍ以上及び５００ｎｍ以下であり、前記第２ピーク波長は、３６５ｎｍ以上及び前記第１ピーク波長未満である、ことを特徴とする請求項１に記載の表示装置。
【請求項４】
前記第１光及び前記第２光は、前記波長変換部材に入射され、前記波長変換部材は、前記第１光及び前記第２光を前記第１カラー光及び前記第２カラー光に変換し、前記第３画素領域は、前記第１光及び前記第２光を表示する、ことを特徴とする請求項１に記載の表示装置。
【請求項５】
前記表示パネルは、フレーム単位に映像を表示し、前記フレームは、時間的に区分された第１サブフレーム及び第２サブフレームを含み、前記第１光源は、前記第１サブフレームの間に発光し、前記第２光源は、前記第２サブフレームの間に発光する、ことを特徴とする請求項１に記載の表示装置。
【請求項６】
前記第２サブフレームの間に、前記第３画素領域は、前記第２光の表示を遮断する、ことを特徴とする請求項５に記載の表示装置。
【請求項７】
前記第１サブフレームの間に、前記第１画素領域及び前記第２画素領域は、前記第１カラー光及び前記第２カラー光の表示を遮断する、ことを特徴とする請求項５に記載の表示装置。
【請求項８】
前記第１カラー光及び前記第２カラー光は、前記第１光より長波長であり、前記第１カラー光は、前記第２カラー光より長波長であり、前記第１サブフレームの間に、前記第２画素領域は、前記第２カラー光の表示を遮断する、ことを特徴とする請求項５に記載の表示装置。
【請求項９】
前記第２サブフレームの間に、前記第１光源及び前記第２光源が発光し、前記第２サブフレームの間に、前記第３画素領域は、前記第１光及び前記第２光の表示を遮断する、ことを特徴とする請求項５に記載の表示装置。
【請求項１０】
前記表示パネルは、フレーム単位に映像を表示し、前記フレームは、時間的に区分された第１サブフレーム、第２サブフレーム、及び第３サブフレームを含み、前記第１光源は、前記第１サブフレームの間に発光し、前記第２光源は、前記第２サブフレーム及び第３サブフレームの間に発光し、
前記第１サブフレームの間に、前記第１画素領域及び前記第２画素領域は、前記第１カラー光及び前記第２カラー光の表示を遮断し、前記第２サブフレームの間に、前記第２画素領域及び前記第３画素領域は、前記第２カラー光及び前記第２光の表示を遮断し、前記第３サブフレームの間に、前記第１画素領域及び前記第３画素領域は、前記第１カラー光及び前記第２光の表示を遮断する、ことを特徴とする請求項１に記載の表示装置。
【請求項１１】
前記波長変換部材は第１波長変換部及び第２波長変換部を含み、
前記第１波長変換部は、前記第１光及び前記第２光の中で少なくとも１つを前記第１カラー光に変換し、前記第２波長変換部は、前記第１光及び前記第２光の中で少なくとも１つを前記第２カラー光に変換し、前記第１画素領域は、前記第１波長変換部と重畳して配置され、前記第２画素領域は、前記第２波長変換部と重畳して配置される、ことを特徴とする請求項１に記載の表示装置。
【請求項１２】
前記波長変換部材は、前記第１光を透光させる透光部をさらに含み、前記第３画素領域は、前記透光部と重畳する、ことを特徴とする請求項１１に記載の表示装置。
【請求項１３】
前記波長変換部材は、前記表示パネルの下に配置され、前記波長変換部材は、前記第１光、前記第２光、前記第１カラー光、及び前記第２カラー光を前記表示パネルに提供する、ことを特徴とする請求項１に記載の表示装置。
【請求項１４】
第１光源、第２光源、並びに、前記第１光源及び前記第２光源から光を受信して第１カラー光及び第２カラー光を生成する波長変換部材を含み、第１サブフレームと第２サブフレームを含むフレーム単位に表示パネルにイメージを表示する表示装置の時分割駆動方法であって、
第１期間の間に、前記第１光源を駆動して前記第１サブフレームの間に第１光を生成する段階と、
前記第１期間の間に、前記第１光を透過させて前記第１光を前記表示パネル上に表示する段階と、
前記第１期間以後の第２期間の間に、前記第２光源を駆動して前記第２サブフレームの間に第２光を生成する段階と、
前記第２期間の間に、前記第２光を前記波長変換部材に提供して前記第１カラー光及び前記第２カラー光を前記表示パネル上に生成する段階と、
前記第２サブフレームの間に前記第２光が前記表示装置の外部へ透過することを遮断する段階と、を含む、ことを特徴とする表示装置の時分割駆動方法。
【請求項１５】
前記第１期間の間に、前記第１光を前記外部へ透過させる段階は、前記第１光を、前記波長変換部材を通じて透過させる段階を含み、
前記第２期間の間に、前記第２光が前記外部へ透過することを遮断する段階は、前記第２光が前記波長変換部材を透過することを遮断する段階を含む、ことを特徴とする請求項１４に記載の表示装置の時分割駆動方法。
【請求項１６】
前記第１期間の間に、前記第１カラー光及び前記第２カラー光が前記波長変換部材を通じて生成されることを遮断する段階をさらに含む、ことを特徴とする請求項１５に記載の表示装置の時分割駆動方法。
【請求項１７】
前記第１期間の間に、前記第１光を、前記波長変換部材を通じて透過させて前記第１カラー光を生成する段階をさらに含む、ことを特徴とする請求項１５に記載の表示装置の時分割駆動方法。
【請求項１８】
前記第１期間の間に、前記第１光を、前記波長変換部材を通じて透過させて前記第２カラー光を生成する段階をさらに含む、ことを特徴とする請求項１７に記載の表示装置の時分割駆動方法。
【請求項１９】
前記第１期間の間に、前記第１光を遮断して前記波長変換部材を通じて前記第２カラー光を生成することを遮断する、ことを特徴とする請求項１７に記載の表示装置の時分割駆動方法。
【請求項２０】
前記表示装置は、液晶層を含み、前記光を遮断する段階は、前記液晶層内に液晶分子を、前記光が透過することを防止するように配向する、ことを特徴とする請求項１４に記載の表示装置の時分割駆動方法。
【請求項２１】
前記フレームは、第３サブフレームをさらに含み、
第３期間の間に、前記第１光源及び前記第２光源の中で１つを駆動して前記第３サブフレームの間に第３光を生成する段階と、
前記第３期間の間に、前記第３光を外部へ提供して前記第３光を前記表示パネルに表示する段階と、
前記第３サブフレームの間に、前記第１光及び前記第２光の中で少なくとも１つが前記表示装置の外部へ透過することを遮断する段階と、をさらに含む、ことを特徴とする請求項１４に記載の表示装置の時分割駆動方法。
【発明の詳細な説明】
【技術分野】
【０００１】
本発明は表示装置に係り、光効率が向上された表示装置及びそのための時分割駆動方法に関する。
【背景技術】
【０００２】
液晶表示装置は互いに対向する２つの基板及び基板の間に介在された液晶層を含む液晶表示パネルを含む。液晶表示装置は電界生成電極に電圧を印加して液晶層に電界を生成する。これに従って、液晶層の液晶分子の配向方向が決定され、入射光の偏光を制御することによって映像を表示する。液晶表示装置では色を表現するために波長変換部材を含む。波長変換部材は所定の色を含む顔料粒子又は所定の色を発光する発光体を含む。波長変換部材が発光体を含む場合、発光体の光吸収率に応じて光効率が決定される。
【先行技術文献】
【特許文献】
【０００３】
【特許文献１】韓国特許第１０−１１１００７１号公報
【特許文献２】韓国特許公開第１０−２０１６−００３６５４３号明細書
【発明の概要】
【発明が解決しようとする課題】
【０００４】
本発明の目的は、光効率及び色再現性が向上された表示装置及びそのための時分割駆動方法を提供することにある。
【課題を解決するための手段】
【０００５】
本発明の一実施形態に係る表示装置は、第１ピーク波長の第１光を提供する第１光源及び前記第１ピーク波長より短波長である第２ピーク波長の第２光を提供する第２光源を含む光源ユニット、前記第２光を吸収し、前記第２光を前記第１ピーク波長及び前記第２ピーク波長と異なるピーク波長を有する第１カラー光及び第２カラー光に変換する波長変換部材、並びに、前記第１カラー光を表示する第１画素領域、前記第２カラー光を表示する第２画素領域、及び前記第１光を表示する第３画素領域を含む表示パネルを含み得、前記第１ピーク波長及び前記第２ピーク波長は３６５ｎｍ以上５００ｎｍ以下の値を有し得る。
【０００６】
前記第１光及び前記第２光は青色光であり得る。
前記第１ピーク波長は４５０ｎｍ以上及び５００ｎｍ以下であり、前記第２ピーク波長は３６５ｎｍ以上及び前記第１ピーク波長未満であり得る。
前記第１光及び前記第２光は前記波長変換部材に入射され、前記波長変換部材は前記第１光及び前記第２光を前記第１カラー光及び前記第２カラー光に変換し、前記第３画素領域は前記第１光及び前記第２光を表示し得る。
前記表示パネルはフレーム単位に映像を表示し、前記フレームは時間的に区分された第１サブフレーム及び第２サブフレームを含み、前記第１光源は前記第１サブフレームの間に発光し、前記第２光源は前記第２サブフレームの間に発光し得る。
前記第２サブフレームの間に前記第３画素領域は前記第２光の表示を遮断し得る。
前記第１サブフレームの間に、前記第１画素領域及び前記第２画素領域は前記第１カラー光及び前記第２カラー光の表示を遮断し得る。
前記第１カラー光及び前記第２カラー光は前記第１光より長波長であり、前記第１カラー光は前記第２カラー光より長波長であり、前記第１サブフレームの間に、前記第２画素領域は前記第２カラー光の表示を遮断し得る。
前記第２サブフレームの間に前記第１光源及び前記第２光源が発光し、前記第２サブフレームの間に、前記第３画素領域は、前記第１光及び前記第２光の表示を遮断し得る。
前記表示パネルはフレーム単位に映像を表示し、前記フレームは時間的に区分された第１サブフレーム、第２サブフレーム、及び第３サブフレームを含み、前記第１光源は前記第１サブフレームの間に発光し、前記第２光源は前記第２サブフレーム及び第３サブフレームの間に発光し、前記第１サブフレームの間に、前記第１画素領域及び前記第２画素領域は前記第１カラー光及び前記第２カラー光の表示を遮断し、前記第２サブフレームの間に、前記第２画素領域及び前記第３画素領域は前記第２カラー光及び前記第２光の表示を遮断し、前記第３サブフレームの間に、前記第１画素領域及び前記第３画素領域は前記第１カラー光及び前記第２光の表示を遮断し得る。
前記波長変換部材は第１波長変換部及び第２波長変換部を含み、前記第１波長変換部は前記第１光及び前記第２光の中で少なくとも１つを前記第１カラー光に変換し、前記第２波長変換部は前記第１光及び前記第２光の中で少なくとも１つを前記第２カラー光に変換し、前記第１画素領域は前記第１波長変換部と重畳して配置され、前記第２画素領域は前記第２波長変換部と重畳して配置され得る。
前記波長変換部材は前記第１光を透光させる透光部をさらに含み、前記第３画素領域は前記透光部と重畳し得る。
前記波長変換部材は前記表示パネル下に配置され、前記波長変換部材は前記第１光、前記第２光、前記第１カラー光、及び前記第２カラー光を前記表示パネルに提供し得る。
【０００７】
本発明の一実施形態に係る表示装置は、第１カラー光を表示する第１画素領域、第２カラー光を表示する第２画素領域、及び青色光を表示する第３画素領域を含む表示パネル、及び第１ピーク波長の第１青色光を提供する第１光源及び前記第１ピーク波長と異なる第２ピーク波長の第２青色光を提供する第２光源を含む光源ユニットを含み、前記表示パネルはフレーム単位に映像を表示し、前記フレームは時間的に区分された第１サブフレーム及び第２サブフレームを含み、前記第１サブフレーム及び前記第２サブフレームの各々で前記第１光源及び前記第２光源の中で少なくとも１つの光が発光し、前記第３画素領域は前記第２光源が発光される間に前記第２青色光の表示を遮断し得る。
【０００８】
前記第１画素領域は第１波長変換部を含み、前記第２画素領域は第２波長変換部を含み、前記第１波長変換部は前記第１青色光及び前記第２青色光の中で少なくとも１つの光を前記第１カラー光に変換し、前記第２波長変換部は前記第１青色光及び前記第２青色光の中で少なくとも１つの光を前記第２カラー光に変換し得る。
前記表示パネル下に配置された波長変換部材をさらに含み、前記第１青色光及び前記第２青色光の中で少なくとも１つの光は前記波長変換部材に入射され、前記波長変換部材は入射された光の波長を変換して前記第１カラー光及び前記第２カラー光を形成し、前記波長変換部材は前記表示パネルに前記第１カラー光、前記第２カラー光、及び前記波長変換部材に入射された光を提供し得る。
前記第１ピーク波長は前記第２ピーク波長より長波長であり、前記青色光は前記第１青色光であり得る。
前記第１サブフレームの間に前記第１光源が発光し、前記第２サブフレームの間に前記第２光源が発光し得る。
前記第１画素領域及び前記第２画素領域は前記第１サブフレームの間に前記第１カラー光及び前記第２カラー光の表示を遮断し得る。
前記第１カラー光及び前記第２カラー光は前記第１光より長波長であり、前記第１カラー光は前記第２カラー光より長波長であり、前記第１サブフレームの間に、前記第２画素領域は前記第２カラー光の表示を遮断し得る。
前記第１サブフレームの間に前記第１光源が発光し、前記第２サブフレームの間に前記第１光源及び前記第２光源が発光し得る。
前記第１ピーク波長は４４０ｎｍ以上及び５００ｎｍ以下であり、前記第２ピーク波長は３６５ｎｍ以上及び前記第１ピーク波長未満であり得る。
【０００９】
本発明の一実施形態に係る、第１光源、第２光源、並びに、前記第１光源及び前記第２光源から各々、光を受信して第１カラー光及び第２カラー光を生成する波長変換部材を含み、第１サブフレームと第２サブフレームを含むフレーム単位に表示パネルにイメージを表示する表示装置の時分割駆動方法は、第１期間の間に、前記第１光源を駆動して前記第１サブフレームの間に第１光を生成する段階、前記第１期間の間に、前記第１光を透過させて前記第１光を前記表示パネル上に表示する段階、前記第１期間以後の第２期間の間に、前記第２光源を駆動して前記第２サブフレームの間に第２光を生成する段階、前記第２期間の間に、前記第２光を前記波長変換部材に提供して前記第１カラー光及び前記第２カラー光を前記表示パネル上に生成する段階、及び前記第２サブフレームの間に前記第２光が前記表示装置の外部へ透過することを遮断する段階を含み得る。
【００１０】
前記第１期間の間に、前記第１光を前記外部へ透過させる段階は前記第１光を、前記波長変換部材を通じて透過させる段階を含み、前記第２期間の間に、前記第２光が前記外部へ透過することを遮断する段階は，前記第２光が前記波長変換部材を透過することを遮断する段階を含み得る。
前記第１期間の間に、前記第１カラー光及び前記第２カラー光が前記波長変換部材を通じて生成されることを遮断する段階をさらに含み得る。
前記第１期間の間に、前記第１光を、前記波長変換部材を通じて透過させて前記第１カラー光を生成する段階をさらに含み得る。
前記第１期間の間に、前記第１光を、前記波長変換部材を通じて透過させて前記第２カラー光を生成する段階をさらに含み得る。
前記第１期間の間に、前記第１光を遮断して前記波長変換部材を通じて前記第２カラー光を生成することを遮断し得る。
前記表示装置は液晶層を含み、前記光を遮断する段階は前記液晶層内に液晶分子を、前記光が透過することを防止するように配向し得る。
前記フレームは第３サブフレームをさらに含み、第３期間の間に、前記第１光源及び前記第２光源の中で１つを駆動して前記第３サブフレームの間に第３光を生成する段階、前記第３期間の間に、前記第３光を外部へ提供して前記第３光を前記表示パネルに表示する段階、及び前記第３サブフレームの間に前記第１光及び前記第２光の中で少なくとも１つが前記表示装置の外部へ透過することを遮断する段階をさらに含み得る。
【発明の効果】
【００１１】
本発明によれば、光源ユニットは互いに異なるピーク波長を有する第１光及び第２光を波長変換部材に提供する。波長変換部材は第１光及び第２光の中で少なくとも何れか１つを吸収して、吸収した光の波長を変換させる発光体を含む。表示パネルの複数の画素領域の中で１つの画素領域は第１光を出力する。第１光のピーク波長は第１光の色純度を考慮して決定され得る。第２光は第１光より短波長であり得る。従って、光源ユニットで提供される光に対する発光体の光吸収率及び光変換効率が向上され得る。従って、色再現性及び発光効率が向上された表示装置が提供され得る。
【図面の簡単な説明】
【００１２】
【図１】本発明の一実施形態に係る表示装置のブロック図である。
【図２】本発明の一実施形態に係る光源ユニットを示した図面である。
【図３】本発明の一実施形態に係る第１光源及び第２光源から出射された光のスペクトルを示した図面である。
【図４】本発明の一実施形態による表示装置の断面図である。
【図５】第１発光体及び第２発光体の吸収スペクトルを示した図面である。
【図６】光の波長に応じる第１発光体及び第２発光体の光発光強度を示したグラフである。
【図７】本発明の一実施形態に係る駆動方式を説明する図面である。
【図８】本発明の一実施形態に係る時分割駆動方式を説明する図面である。
【図９】本発明の一実施形態に係る時分割駆動方式を説明する図面である。
【図１０】本発明の一実施形態に係る時分割駆動方式を説明する図面である。
【図１１】本発明の一実施形態に係る時分割駆動方式を説明する図面である。
【図１２】本発明の一実施形態に係る時分割駆動方式を説明する図面である。
【図１３】本発明の一実施形態による表示装置の断面図である。
【図１４】本発明の一実施形態に係る駆動方式を説明する図面である。
【図１５】本発明の一実施形態に係る時分割駆動方式を説明する図面である。
【図１６】本発明の一実施形態に係る表示装置の概略的な断面図である。
【図１７】本発明の一実施形態に係る表示装置の概略的な断面図である。
【図１８】本発明の一実施形態に係る表示装置の概略的な断面図である。
【図１９】本発明の一実施形態に係る表示装置の概略的な断面図である。
【図２０】本発明の一実施形態に係る第１カラーフィルタ及び第２カラーフィルタの透過度スペクトルを示した図面である。
【発明を実施するための形態】
【００１３】
上述した目的を達成するための本発明の実施形態に対して以下、添付した図面を参照して詳細に説明する。
【００１４】
本発明の長所及び特徴、そしてそれらを達成する方法は添付される図面と共に詳細に後述される実施形態を参照すれば、明確になる。しかし、本発明は以下で開示される実施形態に限定されず、互に異なる多様な形態に具現され得、本実施形態は、単に、本発明の開示を完全にし、本発明が属する技術分野で通常の知識を有する者に本発明の範疇を完全に知らせるために提供される。よって、本発明は請求項の範疇によってのみ定義される。また、明細書の全文にわたって同一の参照符号は同一の構成要素を指称する。図面では様々な層及び領域を明確に表現するために一部の構成要素のスケールを誇張するか、或いは縮小して示した。以下、図面を参照して本発明に対して説明する。
【００１５】
図１は本発明の一実施形態に係る表示装置のブロック図である。
図１を参照すれば、表示装置１０００は表示パネル１００、信号制御部２１０、データ駆動部２２０、ゲート駆動部２３０、光源駆動部２４０、及び光源ユニット３００を含む。
【００１６】
表示装置１０００はテレビジョン、モニタ、又は外部広告板のような大型電子装置を始めとして、パーソナルコンピュータ、ノートブック型コンピュータ、個人デジタル端末機、自動車ナビゲーションユニット、ゲーム機、携帯用電子機器、タブレット、及びカメラのような中小型電子装置等に使用され得る。また、これらは単なる実施形態として提示されたものであって、本発明の概念から逸脱しない限り、他の電子機器にも採用され得る。
【００１７】
表示パネル１００は受光型表示パネルである。例えば、表示パネル１００は液晶表示パネル（ｌｉｑｕｉｄ  ｃｒｙｓｔａｌ  ｄｉｓｐｌａｙ  ｐａｎｅｌ）である。表示パネル１００は光源ユニット３００から第１、第２光Ｌ１、Ｌ２を受信し、第１、第２光Ｌ１、Ｌ２の透過量を制御して映像を表示する。
【００１８】
表示パネル１００はデータラインＤＬ１〜ＤＬｍ、ゲートラインＧＬ１〜ＧＬｎ、及び画素ＰＸを含む。データラインＤＬ１〜ＤＬｍは第１方向ＤＲ１に延長され、第１方向ＤＲ１と交差する第２方向ＤＲ２に沿って配列される。ゲートラインＧＬ１〜ＧＬｎは第２方向ＤＲ２に延長され、第１方向ＤＲ１に沿って配列される。データラインＤＬ１〜ＤＬｍ及びゲートラインＧＬ１〜ＧＬｎは画素領域を定義し、画素領域には映像を表示する画素ＰＸが具備される。
【００１９】
信号制御部２１０はタイミングコントローラである。信号制御部２１０は外部から提供される映像データＲＧＢ及び制御信号ＣＳを受信する。制御信号ＣＳは垂直同期信号、水平同期信号、メーンクロック信号、及びデータイネーブル信号等を含む。
信号制御部２１０は映像データＲＧＢを表示パネル１００の動作に合わせて変換して変換映像データＲ’Ｇ’Ｂ’を生成し、変換映像データＲ’Ｇ’Ｂ’をデータ駆動部２２０に出力する。
信号制御部２１０は第１制御信号ＣＳ１をデータ駆動部２２０に提供し、第２制御信号ＣＳ２をゲート駆動部２３０に提供し、第３制御信号ＣＳ３を光源駆動部２４０に提供する。第１制御信号ＣＳ１はデータ駆動部２２０を制御するための信号であり、第２制御信号ＣＳ２はゲート駆動部２３０を制御するための信号であり、第３制御信号ＣＳ３は光源駆動部２４０を制御するための信号である。
【００２０】
データ駆動部２２０は第１制御信号ＣＳ１に応答して複数のデータラインＤＬ１〜ＤＬｍにデータ信号を提供する。データ駆動部２２０は独立された集積回路チップで具現されて表示パネル１００の一側に電気的に連結させるか、或いは表示パネル１００の所定領域に集積される。データ駆動部２２０が独立された集積回路チップで提供される場合、前記集積回路チップは単一のチップで提供されるか、或いは複数のチップで提供される。
【００２１】
ゲート駆動部２３０は第２制御信号ＣＳ２に応答してゲートラインＧＬ１〜ＧＬｎにゲート信号を提供する。ゲート駆動部２３０は表示パネル１００の所定領域に集積される。ゲート駆動部２３０は非晶質シリコン薄膜トランジスタ（Ａｍｏｒｐｈｏｕｓ  Ｓｉｌｉｃｏｎ  Ｔｈｉｎ  Ｆｉｌｍ  Ｔｒａｎｓｉｓｔｏｒ、  ａ−Ｓｉ  ＴＦＴ）を利用するＡＳＧ（Ａｍｏｒｐｈｏｕｓ  Ｓｉｌｉｃｏｎ  Ｇａｔｅ  ｄｒｉｖｅｒ）、酸化物シリコン薄膜トランジスタ（Ｏｘｉｄｅ  Ｓｉｌｉｃｏｎ  Ｔｈｉｎ  Ｆｉｌｍ  Ｔｒａｎｓｉｓｔｏｒ）を利用するＯＳＧ（Ｏｘｉｄｅ  Ｓｉｌｉｃｏｎ  Ｇａｔｅ  ｄｒｉｖｅｒ）、酸化物半導体、結晶質半導体、多結晶半導体等を利用する回路で具現され得る。また、ゲート駆動部２３０は独立された集積回路チップで具現されて表示パネル１００の一側に電気的に連結される。
【００２２】
光源駆動部２４０は第３制御信号ＣＳ３に応答して光源ユニット３００に含まれた光源の発光を制御する。例えば、光源駆動部２４０は光源ユニット３００の時分割駆動のために提供され得る。従って、本発明の他の一実施形態で、光源ユニット３００が時分割駆動を必要としない場合、光源駆動部２４０は省略され得る。この場合、信号制御部２１０は第３制御信号ＣＳ３を生成しなくともよい。
【００２３】
光源ユニット３００は表示パネル１００に第１、第２光Ｌ１、Ｌ２を提供する。本発明の一実施形態で、光Ｌ１、Ｌ２は第１光Ｌ１及び第２光Ｌ２を含む。第１光Ｌ１と第２光Ｌ２は互いに異なるピーク波長を有する。本発明の説明で、光の強さが最も大きい波長をピーク波長であると定義する。
【００２４】
例えば、光源ユニット３００が時分割方式に駆動される場合、光源ユニット３００は光源駆動部２４０から提供された信号に応答して第１光Ｌ１及び／又は第２光Ｌ２を表示パネル１００に提供し得る。例えば、光源ユニット３００は第１光Ｌ１のみを表示パネル１００に提供するか、第２光Ｌ２のみを表示パネル１００に提供するか、又は第１光Ｌ１及び第２光Ｌ２を表示パネル１００に提供し得る。
【００２５】
図２は本発明の一実施形態に係る光源ユニットを示した図面であり、図３は本発明の一実施形態に係る第１光源及び第２光源から出射された光の強さに対するスペクトルを示した図面である。
図２及び図３を参照すれば、光源ユニット３００は第１光源３０１及び第２光源３０２を含む。第１光源３０１及び第２光源３０２はＬＥＤ（Ｌｉｇｈｔ  Ｅｍｉｔｔｉｎｇ  Ｄｉｏｄｅ）である。第１光源３０１は第１光Ｌ１を発光し、第２光源３０２は第２光Ｌ２を発光する。
【００２６】
図３で第１スペクトルＬＧ１は第１光Ｌ１の強さに対するスペクトルを示し、第２スペクトルＬＧ２は第２光Ｌ２の強さに対するスペクトルを示す。第１光Ｌ１の第１ピーク波長ＰＬＧ１と第２光Ｌ２の第２ピーク波長ＰＬＧ２とは互いに異なる。例えば、第１ピーク波長ＰＬＧ１は第２ピーク波長ＰＬＧ２より大きい。
【００２７】
本発明の一実施形態で、第１ピーク波長ＰＬＧ１及び第２ピーク波長ＰＬＧ２は３６５ｎｍ以上５００ｎｍ以下の値を有する。例えば、第１ピーク波長ＰＬＧ１及び第２ピーク波長ＰＬＧ２は青色光の波長帯域内である。従って、第１光Ｌ１は第１青色光であり、第２光Ｌ２は第２青色光である。
【００２８】
第１ピーク波長ＰＬＧ１は光源ユニット３００が適用される表示パネル１００（図１参照）の製品仕様（例えば、サイズ、解像度、又は色座標等）に応じて決定され得る。例えば、第１ピーク波長ＰＬＧ１は４５０ｎｍ以上５００ｎｍ以下の値を有する。具体的に例えば、光源ユニット３００が適用される製品がＢＴ  ２０２０（ＩＴＵ−Ｒ勧告）を満足しなければならない場合、第１ピーク波長ＰＬＧ１は４５０ｎｍ以上４６７ｎｍ以下の値を有し、例えば４６７ｎｍである。また、光源ユニット３００が中小型表示パネル１００（図１参照）に適用される場合、第１ピーク波長ＰＬＧ１は４６５ｎｍ以上４７５ｎｍ以下の値を有する。但し、これは例示的なものであって、第１ピーク波長ＰＬＧ１の値はこれに制限されない。
【００２９】
第２ピーク波長ＰＬＧ２は第１ピーク波長ＰＬＧ１より小さい値を有する。例えば、第２ピーク波長ＰＬＧ２は３６５ｎｍ以上で、且つ第１ピーク波長ＰＬＧ１より小さい値を有する。例えば、第２ピーク波長ＰＬＧ２は４００ｎｍである。
【００３０】
表示パネル１００の様々な画素領域の中で１つの画素領域は第１光Ｌ１を表示する。例えば、前記画素領域は青色の光を透過して青色のイメージを表示する。光を表示するという意味は、提供された光の透過量を調節してイメージを表示することを意味する。
【００３１】
本発明の実施形態によれば、第１光Ｌ１は製品仕様に応じて決定される。従って、第１光の波長を調節して前記画素領域の色純度を望む値を有するようにし得る。従って、前記画素領域の色純度が高くなり、その結果、表示装置１０００（図１参照）の色再現性が向上され得る。
【００３２】
また、表示装置１０００（図１参照）は発光体（図示せず）を含む。前記発光体は所定の光を吸収して、吸収した光の波長を変換させる。例えば、前記発光体は第１光Ｌ１及び第２光Ｌ２の中で少なくとも何れか１つを吸収し、吸収した光の波長を変換した第１カラー光及び第２カラー光を放出し得る。
【００３３】
本発明の実施形態によれば、第２光Ｌ２が第１光Ｌ１より短波長である。発光体の短波長に対する吸収率は長波長に対する吸収率より高い。従って、第２光によって発光体の光吸収率が増加し得る。その結果、発光体の光変換効率が向上され得る。従って、前記第１カラー光を表示する画素領域及び前記第２カラー光を表示する画素領域の発光効率が向上され得る。
【００３４】
図４は本発明の一実施形態による表示装置の断面図である。
図４を参照すれば、表示装置１０００の表示パネル１００、光源ユニット３００、及び波長変換部材４００が図示されている。
【００３５】
表示パネル１００は第１基板ＰＬ１、第２基板ＰＬ２、液晶層ＬＣＬ、第１偏光層ＰＯＬ１、及び第２偏光層ＰＯＬ２を含む。
【００３６】
第１基板ＰＬ１は第１ベース基板ＳＵＢ１、回路層ＣＬ、絶縁層ＩＬ、及び画素電極ＰＥを含む。
【００３７】
第１ベース基板ＳＵＢ１は絶縁物質を含む。例えば、第１ベース基板ＳＵＢ１はシリコン基板、プラスチック基板、絶縁フィルム、積層構造体、ガラス基板、又は石英基板である。前記積層構造体は複数の絶縁層を含む。第１ベース基板ＳＵＢ１は光学的に透明である。従って、光源ユニット３００から生成された光は第１ベース基板ＳＵＢ１を透過して液晶層ＬＣＬに容易に到達し得る。
【００３８】
回路層ＣＬは第１ベース基板ＳＵＢ１上に配置される。回路層ＣＬは複数の絶縁層、複数の導電層、及び半導体層を含む。例えば、回路層ＣＬは有機／無機層（図示せず）及びトランジスタ（図示せず）を含む。
【００３９】
回路層ＣＬ上には回路層ＣＬをカバーする絶縁層ＩＬが配置され、絶縁層ＩＬ上には画素電極ＰＥが配置される。画素電極ＰＥは第１画素電極ＰＥ１、第２画素電極ＰＥ２、及び第３画素電極ＰＥ３を含む。
【００４０】
表示パネル１００は第１画素領域ＰＥＡ１、第２画素領域ＰＥＡ２、第３画素領域ＰＥＡ３を含む。ここで、第１画素領域ＰＥＡ１は第１画素電極ＰＥ１と重畳する領域を含む領域として定義され、第２画素領域ＰＥＡ２は第２画素電極ＰＥ２と重畳する領域を含む領域として定義され、第３画素領域ＰＥＡ３は第３画素電極ＰＥ３と重畳する領域を含む領域として定義される。
【００４１】
第２基板ＰＬ２は第２ベース基板ＳＵＢ２及び共通電極ＣＥを含む。
第２ベース基板ＳＵＢ２は光学的に透明な絶縁基板である。第２ベース基板ＳＵＢ２は第１ベース基板ＳＵＢ１と同一な物質を含む。従って、これに対する説明は省略する。
共通電極ＣＥは第２ベース基板ＳＵＢ２と液晶層ＬＣＬとの間に配置される。共通電極ＣＥは画素電極ＰＥと電界を形成する。
【００４２】
液晶層ＬＣＬは第１基板ＰＬ１と第２基板ＰＬ２との間に配置される。液晶層ＬＣＬは誘電率異方性を有する液晶分子ＬＣＭを含む。液晶分子ＬＣＭは共通電極ＣＥと画素電極ＰＥとの間に形成された電界によってその配向が変化される。
【００４３】
第１偏光層ＰＯＬ１は第１ベース基板ＳＵＢ１の上部面又は下部面の上に配置される。例えば、図４では第１偏光層ＰＯＬ１が第１ベース基板ＳＵＢ１と光源ユニット３００との間に配置されている場合を図示したが、実施形態はこれに限定されない。例えば、第１偏光層ＰＯＬ１は第１ベース基板ＳＵＢ１と液晶層ＬＣＬとの間に配置されてもよい。即ち、その場合、第１偏光層ＰＯＬ１はインセルタイプの偏光子である。
【００４４】
第２偏光層ＰＯＬ２は第２ベース基板ＳＵＢ２の上部面に配置される。但し、これは例示的なものであって、第２偏光層ＰＯＬ２は第２ベース基板ＳＵＢ２と液晶層ＬＣＬとの間に配置されてもよい。即ち、その場合、第２偏光層ＰＯＬ２はインセルタイプの偏光子である。
【００４５】
第１偏光層ＰＯＬ１及び第２偏光層ＰＯＬ２は一方向に振動する光は透過させ、一方向と直交する他方向に振動する光は吸収する吸収型偏光子であるか、或いは一方向に振動する光を透過させ、一方向と直交する他方向に振動する光を反射する反射型偏光子である。第１偏光層ＰＯ１又は第２偏光層ＰＯ２はコーティング型偏光層又は蒸着によって形成された偏光層である。また、第１偏光層ＰＯＬ１及び第２偏光層ＰＯＬ２はフィルムタイプに提供される偏光部材からなる。
【００４６】
波長変換部材４００は表示パネル１００上に配置される。表示パネル１００を通過した光は波長変換部材４００に入射される。波長変換部材４００は入射された光を吸収し、吸収した光の波長を変換させる。
波長変換部材４００は第３ベース基板ＳＵＢ３、遮光部ＢＭ、第１波長変換部ＣＣＦ１、第２波長変換部ＣＣＦ２、透光部ＣＣＦ３、第１カラーフィルタ層ＣＦ１、第２カラーフィルタ層ＣＦ２、キャッピング層ＣＰＬ、及び平坦化層ＰＬを含む。
【００４７】
第３ベース基板ＳＵＢ３は光学的に透明な絶縁基板である。第３ベース基板ＳＵＢ３は第１ベース基板ＳＵＢ１と同一な物質を含む。従って、これに対する説明は省略する。
【００４８】
遮光部ＢＭは第３ベース基板ＳＵＢ３の一面に配置される。遮光部ＢＭはブラック顔料又は染料を含む有機遮光物質を含む。しかし、これは例示的であって、本発明の他の実施形態で遮光部ＢＭは無機遮光物質を含むこともあり得、その他の実施形態で波長変換部材４００は遮光部ＢＭを含まないこともあり得る。
【００４９】
第１画素領域ＰＥＡ１と平面上で重畳する第３ベース基板ＳＵＢ３の一面には第１カラーフィルタ層ＣＦ１が配置され、第２画素領域ＰＥＡ２と平面上で重畳する第３ベース基板ＳＵＢ３の一面には第２カラーフィルタ層ＣＦ２が配置される。平面上で重畳するということは表示パネル１００の厚さ方向で重畳することを意味する。前記厚さ方向は表示面に対して垂直である方向である。
【００５０】
本発明の一実施形態で、第１カラーフィルタ層ＣＦ１は赤色カラーフィルタ層であり、第２カラーフィルタ層ＣＦ２は緑色カラーフィルタ層である。但し、これは例示的であって、本発明の他の一実施形態で、第１及び第２カラーフィルタ層ＣＦ１、ＣＦ２は黄色カラーフィルタ層であってもよい。また、本発明の他の実施形態で、波長変換部材４００は第１及び第２カラーフィルタ層ＣＦ１、ＣＦ２を含まなくともよい。
【００５１】
第１カラーフィルタ層ＣＦ１の下には第１波長変換部ＣＣＦ１が配置され、第２カラーフィルタ層ＣＦ２の下には第２波長変換部ＣＣＦ２が配置される。第１波長変換部ＣＣＦ１は第１画素領域ＰＥＡ１と平面上で重畳し、第２波長変換部ＣＣＦ２は第２画素領域ＰＥＡ２と平面上で重畳する。第３画素領域ＰＥＡ３と平面上で重畳する領域には透光部ＣＣＦ３が配置される。
【００５２】
第１波長変換部ＣＣＦ１はベース樹脂ＢＲ及び第１発光体ＥＰ１を含み、第２波長変換部ＣＣＦ２はベース樹脂ＢＲ及び第２発光体ＥＰ２を含む。透光部ＣＣＦ３は発光体を含まない。透光部ＣＣＦ３は光源ユニット３００から提供される光を透過させる。透光部ＣＣＦ３はベース樹脂ＢＢＲ及び散乱粒子ＳＰを含む。
【００５３】
ベース樹脂ＢＲ、ＢＢＲは高分子樹脂である。例えば、ベース樹脂ＢＲ、ＢＢＲはアクリル系樹脂、ウレタン系樹脂、シリコン系樹脂、又はエポキシ系樹脂等である。ベース樹脂ＢＲ、ＢＢＲは透明樹脂である。第１波長変換部ＣＣＦ１のベース樹脂ＢＲには第１発光体ＥＰ１が分散され、第２波長変換部ＣＣＦ２のベース樹脂ＢＲには第２発光体ＥＰ２が分散される。本発明の他の一実施形態でベース樹脂ＢＢＲには青色染料（図示せず）が分散されてもよい。
【００５４】
第１発光体ＥＰ１は第１光Ｌ１及び第２光Ｌ２の中で少なくとも何れか１つを吸収して、第１カラー光、例えば赤色光を放出し得る。第２発光体ＥＰ２は第１光Ｌ１及び第２光Ｌ２の中で少なくとも何れか１つを吸収して、第２カラー光、例えば緑色光を放出し得る。第１画素領域ＰＥＡ１は第１波長変換部ＣＣＦ１によって第１カラー光を表示し、第２画素領域ＰＥＡ２は第２波長変換部ＣＣＦ２によって第２カラー光を表示する。第３画素領域ＰＥＡ３は第３カラー光を表示する。例えば、前記第１カラー光は赤色光であり、前記第２カラー光は緑色光である。前記第３カラー光は光源ユニット３００から提供される光であり、青色光である。
【００５５】
第１発光体ＥＰ１及び第２発光体ＥＰ２は所定の光を吸収して波長を変換させて放出する物質を含む。例えば、第１発光体ＥＰ１及び第２発光体ＥＰ２は量子点（Ｑｕａｎｔｕｍ  Ｄｏｔ）である。
【００５６】
量子点はＩＩ−ＶＩ族化合物、ＩＩＩ−Ｖ族化合物、ＩＶ−ＶＩ族化合物、ＩＶ族元素、ＩＶ族化合物、及びこれらの組合せから選択され得る。
【００５７】
ＩＩ−ＶＩ族化合物は、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＭｇＳｅ、ＭｇＳ、及びこれらの混合物からなる群から選択された二元素化合物；ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＭｇＺｎＳｅ、ＭｇＺｎＳ、及びこれらの混合物からなる群から選択された三元素化合物、並びに、ＨｇＺｎＴｅＳ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ、及びこれらの混合物からなる群から選択された四元素化合物、若しくは、これら二元素、三元素、四元素化合物の混合物からなる群から選択され得る。
【００５８】
ＩＩＩ−Ｖ族化合物は、ＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、及びこれらの混合物からなる群から選択された二元素化合物、ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ、及びこれらの混合物からなる群から選択された三元素化合物、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ、及びこれらの混合物からなる群から選択された四元素化合物、若しくは、これら二元素、三元素、四元素化合物の混合物からなる群から選択され得る。
【００５９】
ＩＶ−ＶＩ族化合物は、ＳｎＳ、ＳｎＳｅ、ＳｎＴｅ、ＰｂＳ、ＰｂＳｅ、ＰｂＴｅ、及びこれらの混合物からなる群から選択された二元素化合物、ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、及びこれらの混合物からなる群から選択された三元素化合物、ＳｎＰｂＳＳｅ、ＳｎＰｂＳｅＴｅ、ＳｎＰｂＳＴｅ、及びこれらの混合物からなる群から選択された四元素化合物、若しくは、これら二元素、三元素、四元素化合物の混合物からなる群から選択され得る。
【００６０】
ＩＶ族元素としては、Ｓｉ、Ｇｅ、及びこれらの混合物からなされた群から選択され得る。ＩＶ族化合物としてはＳｉＣ、ＳｉＧｅ、及びこれらの混合物からなる群から選択される二元素化合物である。この時、二元素化合物、三元素化合物、又は四元素化合物は均一な濃度に粒子内に存在するか、或いは濃度分布が部分的に異なる状態に分かれて同一粒子内に存在する。
【００６１】
量子点はコア（ｃｏｒｅ）とコアを囲むシェル（ｓｈｅｌｌ）とを含むコアシェル構造である。また、１つの量子点が他の量子点を囲むコア／シェル構造を有してもよい。コアとシェルとの界面はシェルに存在する元素の濃度が中心に行くほど、低くなる濃度勾配（ｇｒａｄｉｅｎｔ）を有する。
【００６２】
量子点はナノメータスケールのサイズを有する粒子である。量子点は約４５ｎｍ以下、望ましくは約４０ｎｍ以下、さらに望ましくは約３０ｎｍ以下の発光波長スペクトルの半値幅（ｆｕｌｌ  ｗｉｄｔｈ  ｏｆ  ｈａｌｆ  ｍａｘｉｍｕｍ、ＦＷＨＭ）を有し、この範囲で色純度や色再現性を向上し得る。また、このような量子点を通じて発光される光は全方向（３６０°）に放出されるので、光視野角が向上され得る。
【００６３】
また、量子点の形状は球形、ピラミッド型、多重腕（ｍｕｌｔｉ−ａｒｍ）型、又は立方体（ｃｕｂｉｃ）のナノ粒子、ナノチューブ、ナノワイヤ、ナノ繊維、ナノ板状粒子等の形状である。但し、これは例示的であって、これに制限されない。
【００６４】
量子点は粒子サイズによって放出する光の色相が変化され得る。従って、第１発光体ＥＰ１の粒子サイズ及び第２発光体ＥＰ２の粒子サイズは互いに異なり得る。例えば、第１発光体ＥＰ１の粒子サイズは第２発光体ＥＰ２の粒子サイズより大きい。この場合、第１発光体ＥＰ１は第２発光体ＥＰ２より長波長の光を放出する。
【００６５】
第１カラーフィルタ層ＣＦ１は第１波長変換部ＣＣＦ１を通過した光の中で第１発光体ＥＰ１によって変換されない光を吸収でき、第２カラーフィルタ層ＣＦ２は第２波長変換部ＣＣＦ２を通過した光の中で第２発光体ＥＰ２によって変換されない光を吸収し得る。また、第１及び第２カラーフィルタ層ＣＦ１、ＣＦ２は、外光が第１波長変換部ＣＣＦ１及び第２波長変換部ＣＣＦ２に入射することを防止する機能も果たし得る。
【００６６】
第１画素領域ＰＥＡ１及び第２画素領域ＰＥＡ２では第１発光体ＥＰ１と第２発光体ＥＰ２が光を吸収した後、全方向（３６０°）に光を放出するので、第１及び第２画素領域ＰＥＡ１、ＰＥＡ２で放出される光の視野角が向上され得る。従って、第３画素領域ＰＥＡ３で放出される光の正面輝度と側面輝度を均一にするために散乱粒子ＳＰが提供され得る。但し、本発明の他の一実施形態で散乱粒子ＳＰは省略され得る。
【００６７】
キャッピング層ＣＰＬは第１波長変換部ＣＣＦ１、第２波長変換部ＣＣＦ２、及び透光部ＣＣＦ３をカバーする。キャッピング層ＣＰＬは無機膜を含む単一層又は積層構造を有するか、或いは無機膜及び有機膜を含む積層構造を有し得る。無機膜はシリコン窒化物や、シリコン酸化物を含み得る。
【００６８】
キャッピング層ＣＰＬの下には平坦化層ＰＬが配置される。平坦化層ＰＬは有機物質を含む。
【００６９】
本発明の他の一実施形態で、第２ベース基板ＳＵＢ２は省略され得る。この場合、第２偏光層ＰＯＬ２は平坦化層ＰＬ上に（図４では下方に）提供される。例えば、第２偏光層ＰＯＬ２はパターニング方式、例えば、ナノインプリント方式によって平坦化層ＰＬの下方に形成され得る。また、共通電極ＣＥは第２偏光層ＰＯＬ２の下方に配置される。
【００７０】
図５は第１発光体及び第２発光体の吸収率スペクトルを示したグラフであり、図６は第１発光体及び第２発光体の発光強度スペクトルを示したグラフである。図５及び図６は、Ｃｄをベースとする量子点の場合についての、第１発光体及び第２発光体の吸収率及び発光強度を測定した結果である。
【００７１】
図５の第１スペクトルＡＧ−Ｒは第１発光体ＥＰ１（図４参照）の吸収スペクトルを示し、図５の第２スペクトルＡＧ−Ｇは第２発光体ＥＰ２（図４参照）の吸収スペクトルを示す。図６の第１グラフＩＧ−Ｒは光源から放出された光の波長に対する第１発光体ＥＰ１の光発光強度（ＰＬ  ｉｎｔｅｎｓｉｔｙ）を示し、図６の第２グラフＩＧ−Ｇは光源から放出された光の波長に対する第２発光体ＥＰ２の光発光強度を示す。
【００７２】
図５の第１及び第２スペクトルＡＧ−Ｒ、ＡＧ−Ｇを参照すれば、特定波長範囲内で第１発光体ＥＰ１及び第２発光体ＥＰ２は光が短波長（例えば、３８０ｎｍ）に近いほど、吸収率が増加する傾向を有する。例えば、４００ｎｍ波長に対する光吸収率が４５０ｎｍ波長に対する光吸収率より高い。光の吸収率が高いほど、光変換効率が向上され得る。従って、短波長帯域での光変換効率は長波長帯域での光変換効率より高い。
【００７３】
図６の第１及び第２グラフＩＧ−Ｒ、ＩＧ−Ｇは第１発光体ＥＰ１及び第２発光体ＥＰ２に４０５ｎｍ波長の光が入射した時、第１発光体ＥＰ１及び第２発光体ＥＰ２から発光される光発光強度を基準に作成されたグラフである。例えば、１発光体ＥＰ１及び第２発光体ＥＰ２に４０５ｎｍ波長の光が入射した時、第１発光体ＥＰ１及び第２発光体ＥＰ２から各々発光される光発光強度を１００％に表示し、他の波長が入射した時の光発光強度を相対値として表示した。波長が長くなるほど、光発光強度も減少する傾向を有する。これは光の吸収率と類似な傾向を有する。
【００７４】
本発明の実施形態によれば、第１光Ｌ１（図２参照）のピーク波長は製品仕様に応じて決定され得る。例えば、第１光Ｌ１のピーク波長は画素の色座標を考慮して決定され得る。第２光Ｌ２（図２参照）のピーク波長は第１及び第２発光体ＥＰ１、ＥＰ２の光吸収率及び光発光強度を考慮して決定され得る。例えば、第２光Ｌ２のピーク波長は第１光Ｌ１のピーク波長より小さい値を有し得る。従って、第１光源３０１（図２参照）及び第２光源３０２（図２参照）を含む光源ユニット３００（図２参照）によって色再現性及び発光効率が全て向上された表示装置１０００（図１参照）が提供され得る。
【００７５】
図７は本発明の一実施形態に係る駆動方式を説明する図面である。
図７を参照すれば、表示パネル１００（図４参照）及び波長変換部材４００（図４参照）の一部構成が図示されている。表示パネル１００の一部構成として第１液晶部ＬＣＬ１、第２液晶部ＬＣＬ２、及び第３液晶部ＬＣＬ３が図示され、波長変換部材４００の一部構成として第１波長変換部ＣＣＦ１、第２波長変換部ＣＣＦ２、及び透光部ＣＣＦ３が図示されている。
【００７６】
液晶層ＬＣＬ（図４参照）は第１液晶部ＬＣＬ１、第２液晶部ＬＣＬ２、及び第３液晶部ＬＣＬ３を含む。第１液晶部ＬＣＬ１は第１画素領域ＰＥＡ１に含まれ、第２液晶部ＬＣＬ２は第２画素領域ＰＥＡ２に含まれ、第３液晶部ＬＣＬ３は第３画素領域ＰＥＡ３に含まれる。
【００７７】
第１液晶部ＬＣＬ１、第２液晶部ＬＣＬ２、及び第３液晶部ＬＣＬ３は、光源ユニット３００から供給される光Ｌ１、Ｌ２の透過量を調節し得る。
【００７８】
本発明の一実施形態で、第１光源３０１及び第２光源３０２は同時に発光され得る。従って、第１液晶部ＬＣＬ１、第２液晶部ＬＣＬ２、及び第３液晶部ＬＣＬ３は第１光Ｌ１及び第２光Ｌ２の透過量を調節し得る。
【００７９】
白色のイメージが表示される場合、第１液晶部ＬＣＬ１、第２液晶部ＬＣＬ２、及び第３液晶部ＬＣＬ３は第１及び第２光Ｌ１、Ｌ２を透過させ得る。従って、第１画素領域ＰＥＡ１、第２画素領域ＰＥＡ２、及び第３画素領域ＰＥＡ３は全ての光を表示し得る。
【００８０】
第１波長変換部ＣＣＦ１は第１及び第２光Ｌ１、Ｌ２を吸収して、第１カラー光ＣＬ１に変換する。第１カラー光ＣＬ１のピーク波長は赤色光の波長帯域内の値を有する。例えば、第１カラー光ＣＬ１のピーク波長は６２０ｎｍ以上７８０ｎｍ以下の値を有する。
【００８１】
第２波長変換部ＣＣＦ２は第１及び第２光Ｌ１、Ｌ２を吸収して、第２カラー光ＣＬ２に変換する。第２カラー光ＣＬ２のピーク波長は緑色光の波長帯域内の値を有する。例えば、第２カラー光ＣＬ２のピーク波長は５０１ｎｍ以上５８０ｎｍ以下の値を有する。
【００８２】
透光部ＣＣＦ３は第１及び第２光Ｌ１、Ｌ２を透過させて、第３カラー光ＣＬ３を放出する。第３カラー光ＣＬ３は第１及び第２光Ｌ１、Ｌ２を含み、青色光である。
【００８３】
第１画素領域ＰＥＡ１は第１カラー光ＣＬ１を表示し、第２画素領域ＰＥＡ２は第２カラー光ＣＬ２を表示し、第３画素領域ＰＥＡ３は第３カラー光ＣＬ３を表示する。
【００８４】
本発明の実施形態によれば、第１光源３０１及び第２光源３０２が全て発光されるので、図１の光源駆動部２４０は省略され得る。
【００８５】
本発明の一実施形態で、第１光Ｌ１の強さと第２光Ｌ２の強さは互いに同一であり得る。但し、これに制限されない。例えば、本発明の他の一実施形態で、第１光Ｌ１の強さは第２光Ｌ２の強さより大きい。この場合、第３カラー光ＣＬ３が含む第１光Ｌ１の強さが第２光Ｌ２の強さより大きい。即ち、色座標を考慮して決定された第１光Ｌ１の強さが第２光Ｌ２の強さより強いので、第３カラー光ＣＬ３の色純度低下が緩和され得る。
【００８６】
図８は本発明の一実施形態に係る時分割駆動方式を説明する図面である。
図８を参照すれば、表示パネル１００（図１参照）はフレーム単位に映像を表示する。１つのフレームＦＲは時間的に区分された第１サブフレームＳＦＲ１及び第２サブフレームＳＦＲ２を含む。
【００８７】
本発明の一実施形態で、光源駆動部２４０（図１参照）は信号制御部２１０（図１参照）から第３制御信号ＣＳ３（図１参照）を受信し、これに応答して第１光源３０１と第２光源３０２とを交互にターンオンさせる。第１光源３０１は第１サブフレームＳＦＲ１の間に発光し、第２光源３０２は第２サブフレームＳＦＲ２の間に発光する。
【００８８】
第３液晶部ＬＣＬ３は第１光源３０１と同期化されて液晶分子の配向が変化され、第１液晶部ＬＣＬ１及び第２液晶部ＬＣＬ２は第２光源３０２と同期化されて液晶分子の配向が変化される。例えば、第１光源３０１がターンオンされる場合、第１液晶部ＬＣＬ１及び第２液晶部ＬＣＬ２は光源ユニット３００から提供される光を遮断する。従って、第１サブフレームＳＦＲ１の間に、表示パネル１００（図１参照）は第３画素領域ＰＥＡ３によるイメージのみを表示し得る。また、第１及び第２画素領域ＰＥＡ１、ＰＥＡ２は光の表示が遮断されて、第１及び第２画素領域ＰＥＡ１、ＰＥＡ２によるイメージは表示されないこともあり得る。また、第２光源３０２がターンオンされる場合、第３液晶部ＬＣＬ３は光源ユニット３００から提供される光を遮断する。従って、第２サブフレームＳＦＲ２の間に、表示パネル１００は第１及び第２画素領域ＰＥＡ１、ＰＥＡ２によるイメージのみを表示し得る。また、第３画素領域ＰＥＡ３は光の表示が遮断されて、第３画素領域ＰＥＡ３によるイメージは表示されないこともあり得る。第１サブフレームＳＦＲ１の間に表示されるイメージ及び第２サブフレームＳＦＲ２の間に表示されるイメージが組合された１つのフレームの映像が提供される。
【００８９】
白色のイメージが表示される場合、第１画素領域ＰＥＡ１、第２画素領域ＰＥＡ２、及び第３画素領域ＰＥＡ３は全ての光を表示する。第１サブフレームＳＦＲ１の間に第３画素領域ＰＥＡ３は第３カラー光ＣＬ３を表示する。第１サブフレームＳＦＲ１の間に第１液晶部ＬＣＬ１及び第２液晶部ＬＣＬ２が光源ユニット３００から提供される光を遮断するので、第１及び第２画素領域ＰＥＡ１、ＰＥＡ２は第１及び第２カラー光ＣＬ１、ＣＬ２を表示しないこともあり得る。第２サブフレームＳＦＲ２の間に、第１及び第２画素領域ＰＥＡ１、ＰＥＡ２は第１及び第２カラー光ＣＬ１、ＣＬ２を表示する。第２サブフレームＳＦＲ２の間に第３液晶部ＬＣＬ３は光源ユニット３００から提供される光を遮断するので、第３画素領域ＰＥＡ３は第３カラー光ＣＬ３を表示しないこともあり得る。
【００９０】
本発明の一実施形態によれば、第３画素領域ＰＥＡ３は第１サブフレームＳＦＲ１の間に第１光Ｌ１の透過量を調節して光を表示し得る。また、第３画素領域ＰＥＡ３は第２サブフレームＳＦＲ２の間に第３カラー光の表示を遮断し得る。従って、第２光Ｌ２が第３画素領域ＰＥＡ３を通じて表示されることが防止され得る。即ち、第３カラー光ＣＬ３は第１光Ｌ１を含む。従って、第３カラー光ＣＬ３の色純度が高くなり、その結果、色再現性が向上され得る。
【００９１】
また、第１及び第２画素領域ＰＥＡ１、ＰＥＡ２は第２サブフレームＳＦＲ２の間に第２光Ｌ２の透過量を調節して光を表示し得る。第２光Ｌ２が第１液晶部ＬＣＬ１及び第２液晶部ＬＣＬ２を透過すれば、第２光Ｌ２は第１波長変換部ＣＣＦ１及び第２波長変換部ＣＣＦ２に入射される。第１波長変換部ＣＣＦ１は第２光Ｌ２を吸収して第１カラー光ＣＬ１を放出し、第２波長変換部ＣＣＦ２は第２光Ｌ２を吸収して第２カラー光ＣＬ２を放出する。第２光Ｌ２は第１光Ｌ１より短波長を有するので、第１及び第２波長変換部ＣＣＦ１、ＣＣＦ２内の発光体の吸収率及び光変換効率が向上され得る。従って、第１画素領域ＰＥＡ１及び第２画素領域ＰＥＡ２で表示される光の発光効率が向上され得る。
【００９２】
図９は本発明の一実施形態に係る時分割駆動方式を説明する図面である。図９では図８との差異点に対して具体的に説明する。
【００９３】
図９を参照すれば、第１液晶部ＬＣＬ１、第２液晶部ＬＣＬ２、及び第３液晶部ＬＣＬ３は第１光源３０１と同期化されて液晶分子の配向が変化され、第１液晶部ＬＣＬ１及び第２液晶部ＬＣＬ２は第２光源３０２と同期化されて液晶分子の配向が変化される。
【００９４】
第１光源３０１がターンオンされる第１サブフレームＳＦＲ１で第１、第２、及び第３画素領域ＰＥＡ１、ＰＥＡ２、ＰＥＡ３は第１光Ｌ１の透過量を調節して光を表示し得る。即ち、第１及び第２画素領域ＰＥＡ１、ＰＥＡ２は第１サブフレームＳＦＲ１及び第２サブフレームＳＦＲ２の全てで光を表示し得る。従って、第１画素領域ＰＥＡ１及び第２画素領域ＰＥＡ２で表示される光の発光効率が向上され得る。
【００９５】
図２０は本発明の一実施形態に係る第１カラーフィルタ及び第２カラーフィルタの透過度スペクトルを示した図面である。図１０は本発明の一実施形態に係る時分割駆動方式を説明する図面である。図２０及び図１０では図８との差異点に対して具体的に説明する。
【００９６】
図２０を参照すれば、第１スペクトルＣＦＲは第１カラーフィルタ層ＣＦ１（図４参照）の透過度スペクトルであり、第２スペクトルＣＦＧは第２カラーフィルタ層ＣＦ２（図４参照）の透過度スペクトルである。
【００９７】
点線、一点鎖線、破線、及び二点鎖線で各々表示された第３スペクトルＬ１−１、第４スペクトルＬ２−１、第５スペクトルＣＬ１−１、及び第６スペクトルＣＬ２−１を用いて、以下に各光のスペクトルを簡易に説明する。第３スペクトルＬ１−１は第１光Ｌ１のスペクトルであり、第４スペクトルＬ２−１は第２光Ｌ２のスペクトルであり、第５スペクトルＣＬ１−１は第１カラー光ＣＬ１のスペクトルであり、第６スペクトルＣＬ２−１は第２カラー光ＣＬ２のスペクトルである。第１カラー光ＣＬ１及び第２カラー光ＣＬ２は第１光Ｌ１及び第２光Ｌ２より長波長の光であり、第１カラー光ＣＬ１は第２カラー光ＣＬ２より長波長の光である。
【００９８】
第１カラーフィルタ層ＣＦ１は第１カラー光ＣＬ１の大部分を透過させ、第２カラーフィルタ層ＣＦ２は第２カラー光ＣＬ２の大部分を透過させる。第２カラーフィルタの透過スペクトルＣＦＧを観察すれば、第２カラーフィルタ層ＣＦ２は第２カラー光ＣＬ２のみならず、第１光Ｌ１の一部も透過させる。従って、第２波長変換部ＣＣＦ２によって波長が変換されない第１光Ｌ１が第２カラーフィルタ層ＣＦ２を透過する場合が発生され得る。
【００９９】
図１０を参照すれば、第１液晶部ＬＣＬ１及び第３液晶部ＬＣＬ３は、第１光源３０１と同期化されて液晶分子の配向が変化され、第１液晶部ＬＣＬ１及び第２液晶部ＬＣＬ２は第２光源３０２と同期化されて液晶分子の配向が変化される。
【０１００】
第１光源３０１がターンオンされる第１サブフレームＳＦＲ１で第１及び第３画素領域ＰＥＡ１、ＰＥＡ３は第１光Ｌ１の透過量を調節して光を表示する。即ち、第１画素領域ＰＥＡ１は第１サブフレームＳＦＲ１及び第２サブフレームＳＦＲ２の全てで光を表示し、第２画素領域ＰＥＡ２は第２サブフレームＳＦＲ２で光を表示し、第３画素領域ＰＥＡ３は第１サブフレームＳＦＲ１で光を表示する。
【０１０１】
即ち、第１光源３０１が第１光Ｌ１を放出する時、第２液晶部ＬＣＬ２は第１光源３０１から提供される第１光Ｌ１を遮断する。従って、第１サブフレームＳＦＲ１の間に、第２波長変換部ＣＣＦ２に第１光Ｌ１が提供されない。従って、第１光Ｌ１が第２カラーフィルタ層ＣＦ２を透過する現象が防止され得る。その結果、１フレーム中で第２画素領域ＰＥＡ２に表示される第２カラー光ＣＬ２の色純度が高くなり、その結果、色再現性が向上され得る。
【０１０２】
図１１は本発明の一実施形態に係る時分割駆動方式を説明する図面である。
図１１を参照すれば、表示パネル１００（図１参照）はフレーム単位に映像を表示する。１つのフレームＦＲは時間的に区分された第１サブフレームＳＦＲ１、第２サブフレームＳＦＲ２、及び第３サブフレームＳＦＲ３を含む。
【０１０３】
第１光源３０１は第１サブフレームＳＦＲ１の間に発光し、第２光源３０２は第２サブフレームＳＦＲ２及び第３サブフレームＳＦＲ３の間に発光する。
【０１０４】
第１サブフレームＳＦＲ１の間に表示されるイメージは第３画素領域ＰＥＡ３によって提供されるイメージであり、第２サブフレームＳＦＲ２の間に表示されるイメージは第１画素領域ＰＥＡ１によって提供されるイメージであり、第３サブフレームＳＦＲ３の間に表示される映像は第２画素領域ＰＥＡ２によって提供されるイメージである。使用者は第１乃至第３サブフレームＳＦＲ１、ＳＦＲ２、ＳＦＲ３の間に提供されたイメージの組合せを認識する。
【０１０５】
本発明の実施形態によれば、各画素領域で光が表示されるタイミングが分離されるので、各画素領域で表示される光の色純度が向上され得、その結果、色再現性が向上され得る。また、光源ユニット３００が各画素領域によって時分割駆動されることに従って消費電力が減少され得る。
【０１０６】
図１２は本発明の一実施形態に係る時分割駆動方式を説明する図面である。図１２では図８との差異点に対して具体的に説明する。
第１光源３０１は第１サブフレームＳＦＲ１及び第２サブフレームＳＦＲ２の全てで発光し、第２光源３０２は第２サブフレームＳＦＲ２の間に発光する。
【０１０７】
第１サブフレームＳＦＲ１の間に第１、第２、及び第３画素領域ＰＥＡ１、ＰＥＡ２、ＰＥＡ３の第１、第２、及び第３液晶部ＬＣＬ１、ＬＣＬ２、ＬＣＬ３は第１光Ｌ１の透過量を調節して光を表示する。第２サブフレームＳＦＲ２の間に第１及び第２液晶部ＬＣＬ１、ＬＣＬ２は第２光Ｌ２の透過量を調節して光を表示する。第２サブフレームＳＦＲ２の間に第３液晶部ＬＣＬ３は第２光Ｌ２を遮断する。即ち、第２サブフレームＳＦＲ２の間に第３画素領域ＰＥＡ３では第３カラー光が表示されない。
【０１０８】
本発明の一実施形態によれば、第２サブフレームＳＦＲ２の間に第１光Ｌ１と第２光Ｌ２とが全て提供されるので、第１画素領域ＰＥＡ１及び第２画素領域ＰＥＡ２で放出される光の発光効率は向上され得る。また、第３画素領域ＰＥＡ３で光が表示される第１サブフレームＳＦＲ１の間に第２光Ｌ２が提供されないので、第３カラー光ＣＬ３の色純度は向上され得る。従って、発光効率及び色純度の全て向上された表示装置１０００（図１参照）が提供され得る。
【０１０９】
図１３は本発明の一実施形態による表示装置の断面図である。図１３を説明することにおいて、図４で説明された構成要素と同一な構成要素に対しては同一な図面符号を付記し、これに対する説明は省略される。
【０１１０】
図１３を参照すれば、表示装置１０００ａの表示パネル１００ａ、光源ユニット３００、及び波長変換部材４００ａが図示されている。
【０１１１】
表示パネル１００ａは第１基板ＰＬ１ａ、第２基板ＰＬ２、第１基板ＰＬ１ａと第２基板ＰＬ２との間に配置された液晶層ＬＣＬ、第１偏光層ＰＯＬ１、及び第２偏光層ＰＯＬ２を含む。
【０１１２】
第１基板ＰＬ１ａは第１ベース基板ＳＵＢ１、回路層ＣＬ、画素電極ＰＥ及びカラーフィルタ層ＣＦを含む。カラーフィルタ層ＣＦは第１画素領域ＰＥＡ１に配置された第１カラーフィルタ層ＣＦ１、第２画素領域ＰＥＡ２に配置された第２カラーフィルタ層ＣＦ２、及び第３画素領域ＰＥＡ３に配置された第３カラーフィルタ層ＣＦ３を含む。本発明の他の一実施形態で、第１乃至第３カラーフィルタ層ＣＦ１、ＣＦ２、ＣＦ３は第２基板ＰＬ２に含まれる。この場合、カラーフィルタ層ＣＦ１、ＣＦ２、ＣＦ３は第２ベース基板ＳＵＢ２と共通電極ＣＥとの間に配置される。
【０１１３】
波長変換部材４００ａは表示パネル１００ａの下に配置される。波長変換部材４００ａは第１発光体ＥＰ１及び第２発光体ＥＰ２を含む。第１及び第２発光体ＥＰ１、ＥＰ２は所定波長の光を吸収して波長を変換して放出する物質である。例えば、第１及び第２発光体ＥＰ１、ＥＰ２は量子点である。
【０１１４】
光源ユニット３００は波長変換部材４００ａに第１光Ｌ１及び第２光Ｌ２の中で少なくとも何れか１つを提供する。第１発光体ＥＰ１は第１光Ｌ１及び第２光Ｌ２の中で少なくとも何れか１つを吸収して、第１カラー光を放出する。第２発光体ＥＰ２は第１光Ｌ１及び第２光Ｌ２の中で少なくとも何れか１つを吸収して、第２カラー光を放出する。また、第１発光体ＥＰ１及び第２発光体ＥＰ２に吸収されない光は波長変換部材４００ａを通過する。
【０１１５】
第１光Ｌ１は第１ピーク波長を有する青色光であり、第２光Ｌ２は第２ピーク波長を有する青色光である。前記第１ピーク波長は前記第２ピーク波長より長波長である。前記第１カラー光は赤色光であり、前記第２カラー光は緑色光である。
【０１１６】
第１カラーフィルタ層ＣＦ１は前記第１カラー光を透過させ、第２カラーフィルタ層ＣＦ２は前記第２カラー光を透過させ、前記第３カラーフィルタ層ＣＦ３は青色光（例えば、第１光Ｌ１又は第２光Ｌ２）を透過させる。
【０１１７】
本発明の一実施形態によれば、第１光Ｌ１は製品仕様に従って決定され得る。例えば、第１光Ｌ１のピーク波長は色座標を考慮して決定されることができ、その結果、第３画素領域ＰＥＡ３は第１光Ｌ１を表示し得る。従って、第３画素領域ＰＥＡ３で表示される光の色純度は向上され得る。また、第２光Ｌ２のピーク波長は第１光Ｌ１のピーク波長より小さい値に決定され得る。従って、第１発光体ＥＰ１及び第２発光体ＥＰ２の光吸収率及び光変換効率が向上され得る。その結果、第１画素領域ＰＥＡ１及び第２画素領域ＰＥＡ２で表示される光の発光効率は向上され得る。従って、発光効率及び色純度の全て向上された表示装置１０００（図１参照）が提供され得る。
【０１１８】
図１４は本発明の一実施形態に係る駆動方式を説明する図面である。
図１３及び図１４を参照すれば、表示パネル１００ａ（図１３参照）の一部構成及び波長変換部材４００ａが図示されている。表示パネル１００ａの一部構成として第１液晶部ＬＣＬ１、第２液晶部ＬＣＬ２、第３液晶部ＬＣＬ３、第１カラーフィルタ層ＣＦ１、第２カラーフィルタ層ＣＦ２、及び第３カラーフィルタ層ＣＦ３が図示されている。
【０１１９】
第１液晶部ＬＣＬ１、第２液晶部ＬＣＬ２、及び第３液晶部ＬＣＬ３は入射される光Ｌ１、Ｌ２、ＣＬ１、ＣＬ２の透過量を調節する。第１カラーフィルタ層ＣＦ１、第２カラーフィルタ層ＣＦ２、及び第３カラーフィルタ層ＣＦ３は入射される光の中で所定の波長を有する光を透過させる。
【０１２０】
図１４では第１カラーフィルタ層ＣＦ１、第２カラーフィルタ層ＣＦ２、及び第３カラーフィルタ層ＣＦ３を透過した光が第１液晶部ＬＣＬ１、第２液晶部ＬＣＬ２、及び第３液晶部ＬＣＬ３に入射されることを例示的に図示した。しかし、他の実施形態で、第１液晶部ＬＣＬ１、第２液晶部ＬＣＬ２、及び第３液晶部ＬＣＬ３を通過した光が第１カラーフィルタ層ＣＦ１、第２カラーフィルタ層ＣＦ２、及び第３カラーフィルタ層ＣＦ３に入射される構造を有してもよい。
【０１２１】
本発明の一実施形態で、第１光源３０１及び第２光源３０２は同時に発光され得る。従って、波長変換部材４００ａには第１光Ｌ１と第２光Ｌ２とが同時に入射され得る。第１光源３０１及び第２光源３０２が全て発光されるので、図１の光源駆動部２４０は省略され得る。
【０１２２】
第１光Ｌ１及び第２光Ｌ２のピーク波長は３６５ｎｍ以上５００ｎｍ以下の値を有し、第１光Ｌ１の第１ピーク波長は４５０ｎｍ以上５００ｎｍ以下であり、第２光Ｌ２の２ピーク波長は３６５ｎｍ以上前記第１ピーク波長未満である。
【０１２３】
第１光Ｌ１及び第２光Ｌ２の中で一部は波長変換部材４００ａの第１発光体ＥＰ１によって第１カラー光ＣＬ１に変換され、他の一部は波長変換部材４００ａの第２発光体ＥＰ２によって第２カラー光ＣＬ２に変換される。また、第１光Ｌ１及び第２光Ｌ２の中でその他の一部は波長変換部材４００ａをそのまま透過する。
【０１２４】
従って、波長変換部材４００ａは表示パネル１００ａに第１光Ｌ１、第２光Ｌ２、第１カラー光ＣＬ１、及び第２カラー光ＣＬ２を提供し得る。第１カラーフィルタ層ＣＦ１は第１カラー光ＣＬ１を透過させ、第１光Ｌ１、第２光Ｌ２、及び第２カラー光ＣＬ２を吸収する。第２カラーフィルタ層ＣＦ２は第２カラー光ＣＬ２を透過させ、第１光Ｌ１、第２光Ｌ２、及び第１カラー光ＣＬ１を吸収する。第３カラーフィルタ層ＣＦ３は第１光Ｌ１及び第２光Ｌ２を透過させ、第１カラー光ＣＬ１及び第２カラー光ＣＬ２を吸収する。
【０１２５】
図１５は本発明の一実施形態に係る時分割駆動方式を説明する図面である。
図１３及び図１５を参照すれば、表示パネル１００ａ（図１３参照）はフレーム単位に映像を表示する。１つのフレームＦＲは時間的に区分された第１サブフレームＳＦＲ１及び第２サブフレームＳＦＲ２を含む。第１光源３０１は第１サブフレームＳＦＲ１の間に発光し、第２光源３０２は第２サブフレームＳＦＲ２の間に発光する。
【０１２６】
第１サブフレームＳＦＲ１の間に波長変換部材４００ａは表示パネル１００ａに第１光Ｌ１、第１カラー光ＣＬ１、及び第２カラー光ＣＬ２を提供する。第２サブフレームＳＦＲ２の間に波長変換部材４００ａは表示パネル１００ａに第２光Ｌ２、第１カラー光ＣＬ１、及び第２カラー光ＣＬ２を提供する。
【０１２７】
第３液晶部ＬＣＬ３は第１光源３０１と同期化されて液晶分子の配向が変化され、第１液晶部ＬＣＬ１及び第２液晶部ＬＣＬ２は第２光源３０２と同期化されて液晶分子の配向が変化される。
【０１２８】
本発明の一実施形態によれば、第３画素領域ＰＥＡ３は第１サブフレームＳＦＲ１の間に第１光Ｌ１の透過量を調節して光を表示し得る。また、第３画素領域ＰＥＡ３は第２サブフレームＳＦＲ２の間に第２光Ｌ２の表示を遮断する。即ち、第３カラー光ＣＬ３は第１光Ｌ１を含む。従って、第３カラー光ＣＬ３の色純度が高くなり、その結果、色再現性が向上され得る。
【０１２９】
また、第１及び第２画素領域ＰＥＡ１、ＰＥＡ２は第２サブフレームＳＦＲ２の間に第１カラー光ＣＬ１及び第２カラー光ＣＬ２の透過量を調節して光を表示し得る。第２サブフレームＳＦＲ２で第１カラー光ＣＬ１及び第２カラー光ＣＬ２は第２光Ｌ２から変換された光である。第２光Ｌ２は第１光Ｌ１より短波長の光に第１及び第２発光体ＥＰ１、ＥＰ２の吸収率が高いので、光変換効率が向上され得る。従って、第１及び第２画素領域ＰＥＡ１、ＰＥＡ２で表示される光の光効率が向上され得る。図１３の表示装置１０００ａに対しては、図１５に図示された１つの時分割駆動方式を例として説明した。しかし、先に図９、図１０、図１１、図１２で説明された時分割駆動方式も図１３の表示装置に適用され得る。
【０１３０】
図１６は本発明の一実施形態に係る表示装置の概略的な断面図である。図１６は図４の表示装置の概略的な断面図である。
【０１３１】
図４及び図１６を参照すれば、表示装置１０００は表示パネル１００、波長変換部材４００、及びバックライトユニットＢＬＵを含む。図１６に図示されたバックライトユニットＢＬＵは直下型バックライトユニットＢＬＵであると称される。
【０１３２】
波長変換部材４００は表示パネル１００上に配置される。波長変換部材４００と表示パネル１００とは一体に提供されることができ、波長変換部材４００は表示パネル１００に含まれてもよい。
【０１３３】
表示パネル１００の下にはバックライトユニットＢＬＵが配置される。バックライトユニットＢＬＵは光源ユニット３００及び光学シート３１０を含む。
【０１３４】
光学シート３１０は表示パネル１００の下に配置される。光学シート３１０は光を拡散するための拡散シート又は光を集光するための集光シートである。光学シート３１０としては複数枚が提供された場合を例示したが、１枚のみの提供でもよく、省略されてもよい。
【０１３５】
光源ユニット３００は光学シート３１０の下に配置される。即ち、光源ユニット３００は表示パネル１００に向かって光を提供する。光源ユニット３００は複数の第１光源３０１及び複数の第２光源３０２を含む。
【０１３６】
図１７は本発明の一実施形態に係る表示装置の概略的な断面図である。図１７は図４の表示装置の概略的な断面図である。
【０１３７】
図４及び図１７を参照すれば、表示装置１０００は表示パネル１００、波長変換部材４００、及びバックライトユニットＢＬＵａを含む。図１８Ｂに図示されたバックライトユニットＢＬＵａはエッジ型バックライトユニットＢＬＵａであると称される。
【０１３８】
バックライトユニットＢＬＵａは光源ユニット３０１、３０２及び導光板ＬＧＰを含む。光源ユニット３００は第１光源３０１及び第２光源３０２を含む。図１７では１つの第１光源３０１と１つの第２光源３０２が提供された場合が図示されたが、第１光源３０１と第２光源３０２の各々は複数個提供され得る。
【０１３９】
第１光源３０１及び第２光源３０２は導光板ＬＧＰの一側に配置される。図１７では第１光源３０１と第２光源３０２とが導光板ＬＧＰを介して対向する場合を例示したが、これに制限されない。例えば、第１光源３０１と第２光源３０２とは全て導光板ＬＧＰの同一の一側面と対向して配置され得る。
【０１４０】
図１８は本発明の一実施形態に係る表示装置の概略的な断面図である。図１８は図１３の表示装置の概略的な断面図である。
【０１４１】
図１３及び図１８を参照すれば、表示装置１０００ａは表示パネル１００ａ及びバックライトユニットＢＬＵｂを含む。
【０１４２】
図１８に図示されたバックライトユニットＢＬＵｂは直下型バックライトユニットＢＬＵｂであると称される。バックライトユニットＢＬＵｂは表示パネル１００ａの下に配置される。バックライトユニットＢＬＵｂは波長変換部材４００ａ及び光源ユニット３００を含む。
【０１４３】
光源ユニット３００は複数の第１光源３０１及び複数の第２光源３０２を含む。光源ユニット３００は波長変換部材４００ａの下に配置される。即ち、光源ユニット３００は表示パネル１００ａに向かって光を提供する。
【０１４４】
図１８に図示されなかったが、バックライトユニットＢＬＵｂは光学シートをさらに含み得る。光学シートは光を拡散又は集光する機能をし得る。光学シートは表示パネル１００ａと波長変換部材４００ａとの間に提供され得る。
【０１４５】
図１９は本発明の一実施形態に係る表示装置の概略的な断面図である。図１９は図１３の表示装置の概略的な断面図である。
【０１４６】
図１３及び図１９を参照すれば、表示装置１０００ａは表示パネル１００ａ及びバックライトユニットＢＬＵｃを含む。
【０１４７】
図１９に図示されたバックライトユニットＢＬＵｃはエッジ型バックライトユニットＢＬＵｃであると称される。バックライトユニットＢＬＵｃは表示パネル１００ａの下に配置される。バックライトユニットＢＬＵｃは波長変換部材４００ａ、導光板ＬＧＰ、及び光源ユニット３００を含む。
【０１４８】
導光板ＬＧＰはガラス導光板ＬＧＰ又はプラスチック導光板ＬＧＰである。但し、これは例示的であって、これに制限されない。
【０１４９】
波長変換部材４００ａは導光板ＬＧＰの上に配置される。例えば、波長変換部材４００ａは導光板ＬＧＰの上に発光体を含む物質を塗布して提供される。但し、これは例示的であって、波長変換部材４００ａはフィルム形状に提供されて、導光板ＬＧＰの上に配置されてもよい。
【０１５０】
以上では本発明の望ましい実施形態を参照して説明したが、該当技術分野の熟練された当業者又は該当技術分野に通常の知識を有する者であれば、後述される特許請求の範囲に記載された本発明の思想及び技術領域から逸脱しない範囲内で本発明を多様に修正及び変更が可能であることが容易に理解されよう。従って本発明の技術的範囲は、明細書の詳細な説明に記載された内容に限定されず、特許請求の範囲によって定められなければならない。
【符号の説明】
【０１５１】
１０００、１０００ａ      表示装置
１００      表示パネル
ＰＯＬ１      第１偏光層
ＰＬ１        第１基板
ＳＵＢ１      第１ベース基板
ＣＬ          回路層
ＩＬ          絶縁層
ＰＥ          画素電極
ＰＥ１、ＰＥ２、ＰＥ３      第１、第２、第３画素電極
ＬＣＬ        液晶層
ＬＣＬ１、ＬＣＬ２、ＬＣＬ３      第１、第２、第３液晶部
ＬＣＭ        液晶分子
ＰＬ２        第２基板
ＳＵＢ２      第２ベース基板
ＣＥ          共通電極
ＰＯＬ２      第２偏光層
ＰＥＡ１、ＰＥＡ２、ＰＥＡ３      第１、第２、第３画素領域
２１０      信号制御部
２２０      データ駆動部
２３０      ゲート駆動部
２４０      光源駆動部
３００      光源ユニット
３０１、３０２      第１、第２光源
４００      波長変換部材
ＳＵＢ３      第３ベース基板
ＢＭ          遮光部
ＣＣＦ１、ＣＣＦ２      第１、第２波長変換部
ＢＲ        ベース樹脂
ＥＰ１，ＥＰ２      第１、第２発光体
ＣＣＦ３      透光部
ＢＢＲ      ベース樹脂
ＳＰ        散乱粒子
ＣＦ１、ＣＦ２          第１、第２カラーフィルタ層
ＣＰＬ        キャッピング層
ＰＬ          平坦化層
ＦＲ          フレーム
ＳＦＲ１，ＳＦＲ２、ＳＦＲ３      第１、第２、第３サブフレーム
ＡＧ−Ｒ、ＡＧ−Ｇ      第１、第２発光体（ＥＰ１，ＥＰ２）の吸収スペクトル    ＩＧ−Ｒ、ＩＧ−Ｇ      第１、第２発光体（ＥＰ１，ＥＰ２）の発光強度スペクトル
Ｌ１、Ｌ２      第１、第２光
Ｌ１−１、Ｌ２−１      第３、第４スペクトル（＝第１、第２光のスペクトル）
ＣＬ１、ＣＬ２、ＣＬ３      第１、第２、第３カラー光
ＣＬ１−１、ＣＬ２−１      第５、第６スペクトル（＝第１、第２カラー光のスペクトル）
ＣＦＲ，ＣＦＧ      第１、第２カラーフィルタ（ＣＦ１、ＣＦ２）の透過スペクトル
１００ａ      表示パネル
ＰＬ１ａ      第１基板
ＣＦ，ＣＦ１，ＣＦ２，ＣＦ３      カラーフィルタ層
４００ａ      波長変換部材
ＢＬＵ、ＢＬＵａ、ＢＬＵｂ、ＢＬＵｃ      バックライトユニット
３１０      光学シート
ＬＧＰ        導光板
【図１】
2019191572.tif 000003
【図２】
2019191572.tif 000004
【図３】
2019191572.tif 000005
【図４】
2019191572.tif 000006
【図５】
2019191572.tif 000007
【図６】
2019191572.tif 000008
【図７】
2019191572.tif 000009
【図８】
2019191572.tif 000010
【図９】
2019191572.tif 000011
【図１０】
2019191572.tif 000012
【図１１】
2019191572.tif 000013
【図１２】
2019191572.tif 000014
【図１３】
2019191572.tif 000015
【図１４】
2019191572.tif 000016
【図１５】
2019191572.tif 000017
【図１６】
2019191572.tif 000018
【図１７】
2019191572.tif 000019
【図１８】
2019191572.tif 000020
【図１９】
2019191572.tif 000021
【図２０】
2019191572.tif 000022